(57)【要約】【目的】上刃取付軸に対して上刃を直角に取り付けられる構造を有した壁紙糊付機用スリッターを提供し、安定した壁紙の裁断を可能とする。【構成】上刃１を取り付けた上刃用ボス１ａにはロックレバー３１が支軸３２によって回動自在に取り付けられており、このロックレバー３１は側面視でスリット割り３１ａを設けている。このスリット割りが閉じるようにロックレバー３１を回動させることにより上刃１の位置固定をするのである。ロックレバー３１を反対方向に回動させた場合には、ロックが解除されて上刃１は上刃取付軸１３に対してスライド自在になる。【選択図】　図１
2004058170.tif 000002
【特許請求の範囲】
【請求項１】
壁紙の送り方向に直交する位置にある取付軸に、壁紙の表面側と裏面側の各々について配置された上刃と下刃との一対の裁断刃を有し、壁紙の送り方向の両側においてこの一対の上刃と下刃とが食い違い状に圧接された壁紙糊付機用スリッターにおいて、上刃が上刃取付軸に対して直角に固定されるロック機構を設けたことを特徴とする壁紙糊付機用スリッター。
【請求項２】
壁紙の送り方向に直交する位置にある取付軸に、壁紙の表面側と裏面側の各々について配置された上刃と下刃との一対の裁断刃を有し、壁紙の送り方向の両側においてこの一対の上刃と下刃とが食い違い状に圧接された壁紙糊付機用スリッターにおいて、上刃はスライド自在に移動できる上刃取付軸を嵌入する穴を有し、上記上刃取付軸に対して上記穴の径が大きい場合においても、上刃を固定するときには上刃が上刃取付軸に対して直角に固定されるロック機構を設けたことを特徴とする壁紙糊付機用スリッター。
【請求項３】
上刃が上刃取付軸に対して直角に固定されるロック機構を上刃側に設けたことを特徴とする請求項１記載の壁紙糊付機用スリッター。
【発明の詳細な説明】
【０００１】
【産業上の利用分野】
本発明は、壁紙の裏面に糊を塗布する壁紙糊付機のスリッターに関するものである。
【０００２】
【従来の技術】
従来より、壁紙の貼り付け作業においては、重ね切り施工と突き付け施工という２種類の施工方法が行われている。前者は隣り合う壁紙を重ねて貼り、重なった部分に定規を当て上からカッターで切ることによってジョイント部をきれいにする方法であり、後者は壁紙の両端部を糊付時にスリッターで切っておき、隣り合う壁紙の切断面を突き合わせて施工する方法である。突き付け施工においてはもちろんのこと、重ね切り施工においても壁紙の両端の紙だけの部分を予めスリッターで切っておくということがよく行われている。どちらの方法にしても壁紙を所要の幅に調整するための幅合わせが必要となるため、壁紙の両側を切り落として幅合わせするためのスリッターが使用されてきている。この壁紙糊付機用スリッターについては、これまでにも様々な方式のものが開発され、実用化されてきているが、その代表的なものとしては、図５に示した構成のものが知られている。
【０００３】
このスリッターはフック１９を糊付機本体のステーに引っかけることによって図７及び図８のように糊付機本体のクロス原反側に取り付けられ、糊付機から歯車によって駆動力を受けて刃物が回転するようになっており、主に上刃１、下刃２、下刃用ボス１４、上刃取付軸１２、１３、下刃取付軸３、ガイドローラー４、押えローラー６、スプリング１５、下刃固定ステー７、上刃固定ステー８、軸受ブラケット５、２０から構成されている。また、この他に、スリッター自体に駆動モータを有して手動糊付機にセットすることもできるタイプのスリッターも知られている。
【０００４】
壁紙糊付機用スリッターは互いに略平行で、壁紙の送り方向に直交する位置にある取付軸に、壁紙の表面側と裏面側の各々について配置された上刃１と下刃２との一対の裁断刃を有し、壁紙の送り方向の両側においてこの一対の上刃１と下刃２とは食い違い状に圧接されており、下刃２の下刃取付軸３にはガイドローラ４が設けられ、ブラケット５によって、下刃取付軸３が下刃固定用ステー７に支持され、また、下刃２の近傍には押え手段としての押えローラ６及びスプリング１５が配置されている。そして、上刃１は上刃取付軸１２、１３に装着され、この上刃１の上刃取付軸１２、１３は両端のフレームと、軸受ブラケット２０を介して上刃固定用ステー８に支持されている。
【０００５】
上刃１の上刃取付軸１２、１３は下刃２の下刃取付軸３に対し、少し傾斜させて取り付けてあり、下刃に対し上刃を傾斜させることにより、当接する上刃１と下刃２にスキマ角を設けると共に１点で接触するようにしている。
【０００６】
また、スリッターには、カッターシール９および目盛板１０等が配置されている。下刃２の下刃取付軸３は、糊付機側より数個の歯車を介して駆動を受け、駆動連結用歯車１１を介して下刃取付軸３に取り付けられた歯車２１によって回転駆動され、右側の上刃１の取付軸１３は、歯車２２を介して回転し、左側の上刃１の上刃取付軸１２は下刃２の下刃取付軸３の回転を左側のフレーム内の歯車（図示せず）を介して上刃１の上刃取付軸１２の歯車（図示せず）に伝達駆動することによって回転するようにしている。（図９参照）この従来の壁紙糊付機用スリッターでは、押えローラ６と下刃２との間に介在させたスプリング１５により下刃２を上刃１に圧接し、上刃１と下刃２の位置の変更により壁紙の裁断幅を可変としている。
【０００７】
上刃１は上刃取付軸１２、１３に固定されて取付軸と共に回転する。下刃２は図６に示すように下刃用ボス１４に取り付けられ、この下刃用ボス１４には断面Ｄ形状をした穴が開いており、下刃取付軸３は面取りされて断面Ｄ形状の軸となっている。この断面Ｄ形状の下刃取付軸３の角部に下刃用ボス１４のＤ形穴の角が引っかかることにより回り止めとなって下刃取付軸３の回転に伴って下刃２は回転する。そして上刃１と下刃２が回転している部分を壁紙Ａが通過することによって、壁紙が裁断されるのである。
【０００８】
また、裁断刃の所要寸法幅への設定とその固定、そして裁断刃の圧接のためのバネ圧調整を簡便な作業として可能とし、裁断のための準備及び操作を容易にする壁紙用スリッターも特開平１１−１７０１９２号として知られている。この構造を図１０に示す。
【０００９】
【発明が解決しようとする課題】
上記のように裁断刃の位置合わせを容易にできるスリッター等が提案され種々の開発がなされているが、まだ充分ではなく解決が望まれる問題が存在していたのである。
【００１０】
というのも、従来の上刃１の固定は、止めネジか図１０に示すようにレバー２３が上刃取付軸１２、１３に食い込むように当接することによって固定される構造となっていた。上刃１は固定位置を任意に変更するため、スムーズに上刃取付軸１２に対してスライド自在とするために上刃取付軸１２を通す上刃用ボス１ａに設けた穴は僅かに取付軸１２の径よりも大きくしている。この穴径が大きくなっている分が固定する際の上刃１のガタとなり、従来の固定方法では、上刃取付軸１２に対して僅かに上刃１が直角ではない状態に固定されることとなってしまっていたのでる。
【００１１】
上刃１が直角でない状態に固定される原因は１．上刃用ボス１ａの穴径と上刃１取付面の直角度、２．上刃１の刃面と上刃用ボスへの取付面の平行度、３．上刃用ボス１ａの穴径と上刃取付軸の軸径とのガタ分からくる傾き、という３つの要素の合計として発生し、その結果として上刃１の回転時の振れが出ている。
【００１２】
実際、壁紙の裁断においては１００分の５ミリ（５／１００ｍｍ）を越す上刃の振れが発生すると壁紙の継ぎ目が目立ってしまって施工がしにくいというクレームとなったり、目開きしているというクレーム等となってしまう。そのために上刃の振れは５／１００ｍｍ以内に収める必要があるのである。
【００１３】
しかし上記の３つの要素のうち、１．及び２．はどうしても加工精度上０．０１〜０．０１５ｍｍ程度の加工誤差は発生してしまう。この加工精度をさらに上げようとすると、加工する機械そのものをさらに精度良い機械としなければならず、加工コストがとても高騰してしまう。
【００１４】
そのため、コストを一番安価にし、かつ精度を確保するために１．及び２．の要素は現状の装置での加工とし、３．のガタを少しでも改善するということで対応しなければならなかったのである。すなわち１．及び２．で０．０２〜０．０３ｍｍの振れが出てしまうため、３．においては０．０２ｍｍ以下の精度を確保しなければならないのである。しかもスキマが小さすぎると上刃１のスライドがスムーズにできないということになってしまうため、上刃取付軸と上刃用ボスは一定のスキマを持つようにするしかなく、上刃取付軸の軸径に合わせて、何種類ものリーマを用意し、一定のスキマとなるように上刃取付軸の軸径によって上刃用ボスの穴径を一つづつ該当するリーマで加工して上刃取付軸と上刃用ボスの組み合わせを１セットづつ製造するという管理を行って手間暇をかけていたのである。
【００１５】
【課題を解決するための手段】
上記の課題を解決する手段として本発明の請求項１は、壁紙の送り方向に直交する位置にある取付軸に、壁紙の表面側と裏面側の各々について配置された上刃と下刃との一対の裁断刃を有し、壁紙の送り方向の両側においてこの一対の上刃と下刃とが食い違い状に圧接された壁紙糊付機用スリッターにおいて、上刃が上刃取付軸に対して直角に固定されるロック機構を設けたことを特徴とする壁紙糊付機用スリッターとしている。
【００１６】
上刃取付軸に対して上刃を直角に固定できるロック機構を設けることによって、軸と穴のスキマ分のガタから発生する刃物の振れをなくしてまっすぐに裁断ができるようにするものである。
【００１７】
本発明の請求項２は、壁紙の送り方向に直交する位置にある取付軸に、壁紙の表面側と裏面側の各々について配置された上刃と下刃との一対の裁断刃を有し、壁紙の送り方向の両側においてこの一対の上刃と下刃とが食い違い状に圧接された壁紙糊付機用スリッターにおいて、上刃はスライド自在に移動できる上刃取付軸を嵌入する穴を有し、上記上刃取付軸に対して上記穴の径が大きい場合においても、上刃を固定するときには上刃が上刃取付軸に対して直角に固定されるロック機構を設けたことを特徴とする壁紙糊付機用スリッターである。
【００１８】
上刃側に設けた上刃取付軸を嵌入する穴が、上刃取付軸よりも大きくても上刃が上刃取付軸に対して直角に固定されるため、従来必要としていた生産上の管理をなくすることができ、コストを下げることができるのである。また、上刃取付軸に対して上刃を直角に固定できるロック機構を設けることによって、従来軸と穴のガタ分から発生していた刃物の振れをなくしてまっすぐに裁断ができるようにするものである。
【００１９】
本件発明の請求項３は、上刃が上刃取付軸に対して直角に固定されるロック機構を上刃側に設けたことを特徴とする請求項１記載の壁紙糊付機用スリッターである。
【００２０】
ロック機構を上刃自体もしくは上刃を固定する上刃用ボスに設け、簡単に上刃取付軸に対して上刃を直角に固定できるようにして従来の問題を解決するものである。
【００２１】
【発明の実施の形態】
本発明の実施の形態について説明する。第１の実施の形態を図１、図２に示す。図１は上刃部分の説明図であり、図２は第１の実施の形態の上刃１をスリッターに取り付けた状態を示している。図１に示しているように、上刃１は上刃用ボス１ａにネジで固定されている。上刃用ボス１ａにはロックレバー３１が支軸３２によって回動自在に取り付けられている。このロックレバー３１は図１（ｂ）に示すように側面視でスリット割り３１ａを設けている。このスリット割りが閉じるようにロックレバー３１を実線位置に回動させることにより上刃１の位置固定をするのである。二点鎖線の位置にロックレバー３１を回動させた場合には、ロックが解除されて上刃１は上刃取付軸１３に対してスライド自在になる。
【００２２】
このロックレバー３１は、上刃取付軸１３に対して軸方向にある程度の幅を有し、その幅いっぱいでスリット割り３１ａを変形させて上刃１を固定するため、上刃取付軸１３に対して上刃１及び上刃用ボス１ａは、上刃用ボス１ａに設けられた穴のガタ分図１（ａ）及び図１（ｂ）の上側に平行移動して固定される。このため上刃１の刃先が回転によって振れたりせずに上刃取付軸１３に対して直角に固定されるのである。
【００２３】
したがって従来のように上刃取付軸の軸径と上刃用ボスの穴径との微妙な組み合わせを管理しなくてもよくなり、多少軸径よりも穴径が大きくても本件発明によって上刃１が斜めにならずに直角に固定できるようになるのである。
【００２４】
上記の実施の形態の構造であると、スリット割り３１のたわみで固定がされるためロックレバー３１は樹脂製等の弾性変形が可能な素材で製作する必要がある。そして、スリット割り３１ａのたわんだ力分で、上刃用ボス１ａの穴の下側とロックレバー３１のスリット割り３１ａの部分で上刃取付軸１３を挟み込むことによって、固定の力を得ている。上刃用ボス１ａの穴が上刃１と直角になってさえいれば、穴径が軸径よりも多少多くても、すなわち従来では問題となるようなガタが存在していたとしても、本発明においては問題ではなく、上刃１は確実に上刃取付軸１３と直角に固定されるのである。したがって従来のように手間をかけた管理等が必要なく、本件発明においては上刃１が上刃取付軸１３に対して直角に固定できる。
【００２５】
上記では壁紙糊付機用スリッターの片側について説明した。上記に説明した側の反対側にも、対照に設けられた上刃と下刃があるが、上記と同様の構造を採用するため説明は省略する。
【００２６】
次に、第２の発明の実施の形態について説明する。第２の実施形態を図３及び図４に示す。この実施の形態では先に説明したロックレバー３１は使用せずに、テーパーピン４１をロック機構に使用している。上刃用ボス１ａにテーパーピン４１が設置されるテーパ穴が設けられており、テーパーピン４１を設置した後、バネ４２を取り付けてエンドプレート４３をネジ止め（図３（ａ）参照）してテーパーピン４１が図３（ｂ）において常にバネ４２によって右側へ突出するように付勢されている。テーパーピン４１にはボタン４４が取り付けられている。
【００２７】
図３（ａ）はテーパーピン４１を上から見た状態で上刃用ボス１ａの構造等を説明する図であり、図３（ｂ）はテーパーピン４１を側面から見た状態でバネ４２の付勢でテーパーピン４１が右方向へ突出し、上刃用ボス１ａ内で上刃用取付軸１３を押さえることにより結果として上刃１が固定されている状態を示している。図３（ｃ）はボタン４４を押し込むことによって上刃１のロック状態を解除してスライド自在になっている状態を示した図である。
【００２８】
テーパーピン４１は、上刃取付軸１３と接する面はテーパー状とせずに平面とし、それ以外の上刃用ボス内のテーパー穴と接する面をテーパー状としている。
【００２９】
上刃１の位置決めを行う際には、ボタン４４を押してロックを解除して所望の位置へスライドした後、ボタン４４を離せばその位置でロックされて上刃１が固定されるというものである。本実施の形態においても上刃用ボス１ａに設けられた穴径が多少上刃取付軸１３の径よりもおおきくても、テーパーピン４１が図３（ｂ）のように右側へ突出するように付勢され、テーパーピン４１の底面と上刃用ボス１ａの穴径の下側とで上刃１が斜めにならずに直角に固定される。
【００３０】
【発明の効果】
上記にロックレバー３１、テーパーピン４１を使用する実施の形態を説明したように、上刃用ボスに設けられた穴径が、上刃取付軸よりも多少大きくても、上刃１は上刃取付軸に直角に固定できるので、従来の生産上の管理等は不要になりコストダウンが可能となる。
【図面の簡単な説明】
【図１】本発明の第１の実施形態説明する図
【図２】本発明の第１の実施形態を説明する斜視図
【図３】本発明の第２の実施形態説明する図
【図４】本発明の第１の実施形態を説明する斜視図
【図５】従来の壁紙糊付機用スリッターを示す斜視図
【図６】従来の壁紙糊付機用スリッターの刃物部を示す斜視図
【図７】従来の壁紙糊付機用スリッターの取付状態を説明する図
【図８】従来の壁紙糊付機用スリッターの取付状態を説明する図
【図９】従来の壁紙糊付機用スリッターの構造を説明する図
【図１０】従来の壁紙糊付機スリッターのスライド機構を説明する図
【符号の説明】
Ａ　　　壁紙
１　　　上刃
２　　　下刃
３　　　下刃取付軸
４　　　ガイドローラー
５　　　軸受ブラケット
６　　　押えローラー
７　　　下刃固定ステー
８　　　上刃固定ステー
９　　　カッターシール
１０　　　目盛板
１１　　　駆動連結用歯車
１２　　　上刃取付軸
１３　　　上刃取付軸
１４　　　下刃用ボス
１５　　　スプリング
１９　　　フック
２０　　　軸受ブラケット
２１　　　歯車
２２　　　歯車
２３　　　レバー
２４　　　バネ
３１　　　ロックレバー
３１ａ　　スリット割り
３２　　　支軸
４１　　　テーパーピン
４２　　　バネ
４３　　　エンドプレート
４４　　　ボタン
【図１】
2004058170.tif 000003
【図２】
2004058170.tif 000004
【図３】
2004058170.tif 000005
【図４】
2004058170.tif 000006
【図５】
2004058170.tif 000007
【図６】
2004058170.tif 000008
【図７】
2004058170.tif 000009
【図８】
2004058170.tif 000010
【図９】
2004058170.tif 000011
【図１０】
2004058170.tif 000012